(57)【要約】【課題】形状情報だけでなく血流動態などの流れ情報を可視化することが可能なＭＲＩ装置を提供する。【解決手段】フローコンペンセイション機能を備えたＭＲＩ装置において、フローコンペンセイション機能の傾斜磁場の各軸、及び各次数モーメントの組み合わせを複数選択して交互に計測を行う。計測された複数の画像の再構成画像の差分処理（３１３、３１４）で得られる差分情報から、フローコンペンセイション機能で補正されている情報が１次の成分なのか２次の成分の補正信号なのかを抽出し（３１５）、抽出した補正信号に対してカラーマップ化などの重み付け処理（３１６）して、抽出画像を生成し（３１７）、元画像と抽出画像を合成（３２１）して、出力・表示する（３２２）。これにより、ユーザーに流体部の形状情報だけではなく、血流動態情報など、流体信号がどの様な原因により変化しているかの情報を提供する。【選択図】図３Ｂ
2017104313.tif 000002
【特許請求の範囲】
【請求項１】
磁気共鳴イメージング（以下、ＭＲＩ）装置であって、
被検体を収容する空間に均一な静磁場と、前記静磁場へ重畳した傾斜磁場と、高周波磁場を照射し、前記被検体から発生する核磁気共鳴信号を検出して画像化する制御部を備え、
前記制御部は、フローコンペンセイション機能を、前記傾斜磁場の各軸、及び次数モーメントの組み合わせを複数選択して複数の画像の計測を行い、当該複数の画像の再構成で得られる複数の再構成画像の差分処理により各次数モーメントの補正信号を抽出する、
ことを特徴とするＭＲＩ装置。
【請求項２】
請求項１に記載のＭＲＩ装置であって、
表示部を更に備え、
前記制御部は、
前記フローコンペンセイション機能において、前記複数の再構成画像の差分処理により、各次数モーメントの前記補正信号を抽出し、前記補正信号に重み付けした後、前記表示部に表示するよう制御する、
ことを特徴とするＭＲＩ装置。
【請求項３】
請求項１に記載のＭＲＩ装置であって、
表示部を更に備え、
前記制御部は、
前記傾斜磁場の各軸に対して、０次モーメントのみを合わせた撮像、０次と１次モーメントを合わせた撮像、０次と１次と２次モーメントを合わせた撮像を行い、取得した前記複数の画像の再構成画像の差分処理により前記フローコンペンセイション機能による前記補正信号を抽出し、カラー化して抽出画像とした後、前記抽出画像と元画像を合成して、前記表示部に表示するよう制御する、
ことを特徴とするＭＲＩ装置。
【請求項４】
請求項１に記載のＭＲＩ装置であって、
前記制御部は、
計測された複数の前記核磁気共鳴信号を加算し、加算された核磁気共鳴信号を再構成する、
ことを特徴とするＭＲＩ装置。
【請求項５】
請求項１に記載のＭＲＩ装置であって、
前記制御部は、
前記傾斜磁場の各軸、及び次数モーメントの組み合わせを選択するための撮像パラメータ設定支援機能を備える、
ことを特徴とするＭＲＩ装置。
【請求項６】
請求項５に記載のＭＲＩ装置であって、
前記制御部の撮像パラメータ設定支援機能は、
前記傾斜磁場の各軸、及び次数モーメントの組み合わせを複数選択して複数の画像の計測を行う画像取得時に取得するエコー数を選択する、
ことを特徴とするＭＲＩ装置。
【請求項７】
被検体を収容する空間に均一な静磁場と、前記静磁場へ重畳した傾斜磁場と、高周波磁場を照射し、前記被検体から発生する核磁気共鳴信号を検出して画像化する制御部を備えるＭＲＩ装置の作動方法であって、
前記制御部は、フローコンペンセイション機能を、前記傾斜磁場の各軸、及び次数モーメントの組み合わせを複数選択して複数の画像の計測を行い、当該複数の画像の再構成で得られる複数の再構成画像の差分処理により各次数モーメントの補正信号を抽出する、
ことを特徴とするＭＲＩ装置の作動方法。
【発明の詳細な説明】
【技術分野】
【０００１】
本発明は、フローコンペンセイション機能を有する磁気共鳴イメージング装置（以下ＭＲＩ）における、流体の動態情報の可視化技術に関する。
【背景技術】
【０００２】
ＭＲＩ装置のフローコンペンセイション機能とは、傾斜磁場パルスの印加方法を工夫することにより、動かないプロトンの位相を揃える（０次モーメントを合わせる）だけでなく、一定速度で動くプロトンの位相を揃える（１次モーメントを合わせる）ことや、加速して動く組織の位相を揃える（２次モーメントを合わせる）こと、更に、急に変化するプロトンの位相を揃える（３次モーメントを合わせる）ことを可能とする技術である。
【０００３】
このフローコンペンセイション機能では、傾斜磁場パルスの印加方法を工夫することによって、撮像領域を移動するプロトンの位相を揃えることが可能となり、体内を流れる血液のような組織に対して血流アーチファクトを抑制したり、ＭＲアンギオグラフィ（以下ＭＲＡ)では血流の動きの状態によって生じる血管の屈曲部等で発生する信号欠損を緩和させ、血流信号を正しく取得するために使用されている。フローコンペンセイション機能の先行技術として、例えば特許文献１がある。
【先行技術文献】
【特許文献】
【０００４】
【特許文献１】特開平０９−２５３０６８号公報
【発明の概要】
【発明が解決しようとする課題】
【０００５】
上述の通りフローコンペンセイション機能は、１次、２次、３次モーメント等の位相を揃えることで、信号を補正している。例えば、ＭＲＡに関しては、血流信号の欠損を起こさないように、フローコンペンセイション機能を適用するが、補正されて得られる最終画像には、信号欠損部がどこであるか、補正された信号が１次モーメントの成分なのか２次モーメントの成分なのか３次モーメントの成分なのかといった情報は含まれず、形状のみの診断となっている。
【０００６】
しかしながら、これらの信号欠損部は、血流信号が正しく取得できている部分とは異なる状態であることを示しており、その様な部位において動脈瘤等の疾患が発生しやすい可能性がある部分であるにも関わらず、現状の診断に使われている形状情報だけでは、どのようなことが血管内部で起こっているかの判断が難しい場合がある。
【０００７】
本発明の目的は、上記の課題を解決し、形状情報だけでなく流体の動態情報を可視化することが可能なＭＲＩ装置、及び方法を提供することにある。
【課題を解決するための手段】
【０００８】
上記の目的を達成するため、本発明においては、ＭＲＩ装置であって、被検体を収容する空間に均一な静磁場と、静磁場へ重畳した傾斜磁場と、高周波磁場を照射し、被検体から発生する核磁気共鳴信号を検出して画像化する制御部を備え、制御部は、フローコンペンセイション機能を、傾斜磁場の各軸、及び次数モーメントの組み合わせを複数選択して複数の画像の計測し、複数の画像の再構成で得られる複数の再構成画像の差分処理により各次数モーメントの補正信号を抽出する構成のＭＲＩ装置を提供する。
【０００９】
また、上記の目的を達成するため、本発明においては、被検体を収容する空間に均一な静磁場と、静磁場へ重畳した傾斜磁場と、高周波磁場を照射し、被検体から発生する核磁気共鳴信号を検出して画像化する制御部を備えるＭＲＩ装置の作動方法であって、制御部は、フローコンペンセイション機能を、傾斜磁場の各軸、及び次数モーメントの組み合わせを複数選択して複数の画像の計測し、複数の画像の再構成で得られる複数の再構成画像の差分処理により各次数モーメントの補正信号を抽出するＭＲＩ装置の作動方法を提供する。
【発明の効果】
【００１０】
本発明によると、フローコンペンセイション機能で、差分処理で抽出された補正信号の情報を可視化することで、流体の動態情報を得ることができる。
【図面の簡単な説明】
【００１１】
【図１】実施例１に係るＭＲＩ装置の全体の概略構成の一例を示す図。
【図２】実施例１に係るＭＲＩ装置のディスプレイに表示されたグラフィカルユーザインタフェース（以下ＧＵＩ）の一例を示す図。
【図３Ａ】実施例１に係るＭＲＩ装置において実行される処理の概要を説明するフローチャート例の前半を示す図。
【図３Ｂ】実施例１に係るＭＲＩ装置において実行される処理の概要を説明するフローチャート例の後半を示す図。
【図４】実施例１に係るＭＲＩ装置において実行されるシーケンスの一例を示す図。
【図５】実施例１に係るＭＲＩ装置において実行されるｋ空間の一例を示す図。
【図６】実施例１に係るＭＲＩ装置において実行される画像処理の一例を示す模式図。
【発明を実施するための形態】
【００１２】
以下、図面を参照しながら本発明の実施するための形態を順次説明する。なお、以下の実施例の説明においては、計測対象である流体として人体の血流を例示して説明するが、本発明はこれに限定されるものでなく、他の被検体内の流体に適用可能である。
【実施例１】
【００１３】
実施例１は、被検体を収容する空間に均一な静磁場と、静磁場へ重畳した傾斜磁場と、高周波磁場を照射し、被検体から発生する核磁気共鳴信号を検出して画像化する制御部を備え、制御部はフローコンペンセイション機能を、傾斜磁場の各軸、及び次数モーメントの組み合わせを複数選択して複数の画像の計測し、複数の画像の再構成で得られる複数の再構成画像の差分処理により各次数モーメントの補正信号を抽出する構成のＭＲＩ装置、及びその作動方法の実施例である。
【００１４】
図１は、実施例１に係る、ＭＲＩ装置の全体概略構成図である。ガントリ１０１は静磁場コイル１０２と、傾斜磁場コイル１０３と、照射コイル１０４と、受信コイル１０５とにより構成される。静磁場コイル１０２は超伝導コイルまたは常伝導コイルを用いて構成され、被検体１１６に静磁場を与える。傾斜磁場コイル１０３は被検体１１６に互いに直行するＸ，Ｙ，Ｚの３軸方向に傾斜磁場を与える。照射コイル１０４は被検体１１６の生態組織を構成する原子の原子核にＮＭＲ現象を起こさせる高周波ＲＦパルスを所定のパルスシーケンスで繰り返し印加する。このＮＭＲ現象により放出されるエコー信号を受信コイル１０５が受信する。傾斜磁場コイル１０３はＸ軸傾斜磁場電源１０８、Ｙ軸傾斜磁場電源１０９、Ｚ軸傾斜磁場電源１１０により、照射コイル１０４は送信系１０７により、受信コイル１０５は受信系１０６によりそれぞれ駆動される。Ｘ軸傾斜磁場電源１０８、Ｙ軸傾斜磁場電源１０９、Ｚ軸傾斜磁場電源１１０および送信系１０７はシーケンサ１１２によって駆動され、所定のパルスシーケンスに従って傾斜磁場および高周波ＲＦパルスを発生させる。受信系１０６は中央処理部（以下ＣＰＵ）１１１により駆動され、エコー信号の受信と得られたエコー信号のＣＰＵ１１１への送信を行う。本実施例のＭＲＩ装置において、ＣＰＵ１１１とシーケンサ１１２とを纏めて制御部と称する。
【００１５】
制御部のシーケンサ１１２はＣＰＵ１１１により駆動され、ユーザーが設定した撮像パラメータに従ってパルスシーケンスを計算する。パルスシーケンスにおける傾斜磁場は初めＳｌｉｃｅ、Ｐｈａｓｅ、Ｆｒｅｑｕｅｎｃｙの論理軸で作成し、Ｘ、Ｙ、Ｚの物理軸に変換して各軸の傾斜磁場電源を制御する。論理軸における傾斜磁場は、それぞれ時間を横軸にとると通常は台形の形状をしたパルスである。以下の記述において各論理軸上のパルスを傾斜磁場パルスと総称し、どの論理軸上のパルスであるかは問わないこととする。
【００１６】
制御部のＣＰＵ１１１は受信系１０５で検出したエコー信号を用いて画像再構成演算を行う信号処理と、シーケンサ１１２の駆動・制御と、撮像パラメータ設定支援機能１１５の駆動とその結果の操作卓１１４への返信とを行う。操作卓１１４はディスプレイ１１３にＧＵＩを表示しユーザーからの入力を受け付け、ユーザーが撮像開始または停止の入力をした際にはＣＰＵ１１１を駆動し撮像のコントロールを行い、ユーザーが撮像パラメータの入力をした際にはＣＰＵ１１１を駆動し、撮像パラメータ設定支援機能１１５を駆動させる。撮像パラメータ設定支援機能１１５は、本実施例においてはディスプレイ１１３に、以下で説明するように、対話的にポップアップウインドウを表示する形態をとるが、この構成に限定されるものでない。
【００１７】
図２に本実施例のＭＲＩ装置のディスプレイ１１３に表示されるＧＵＩの一例を示す。本実施例のＧＵＩとして、患者情報表示領域２０１、図形操作による撮像パラメータ設定入力領域２０２、値の入力による撮像パラメータ設定入力領域２０３、撮像の開始・終了を指示する撮像コントロール領域２０４により構成されるポップアップウインドウが表示される。
【００１８】
図形操作による撮像パラメータ設定入力領域２０２では、領域上に表示されたパラメータ入力補助図形を操作することにより、スライス断面の位置の移動や回転等の撮像パラメータ変更を行うことができ、値の入力による撮像パラメータ設定入力領域２０３と併せてパラメータ変更を受け付ける領域である。本実施例のＭＲＩ装置においては、このＧＵＩの値の入力による撮像パラメータ設定入力領域２０３にて、マルチフローコンペンセイション機能を指定するパラメータ、すなわち、Ｒｅｐｈｒａｓｅ Ｍａｐ２０５で各軸および各次数モーメントの組み合わせを選択する。各次数はｎ次で示され、ここでｎはゼロを含む１以上の自然数である。
【００１９】
図３Ａ、図３Ｂに本実施例の構成において実行される処理全体のフローチャートを示す。本実施例のＭＲＩ装置における処理フローチャートは、撮像パラメータ設定支援機能１１５を含む制御部が実行する。ユーザーが撮像目的に適したパルスシーケンスを選択し、そのシーケンスの既存のプロトコルを開いた場合、あるいは新規のプロトコルを選択すると、図形操作による撮像パラメータ設定入力領域２０２、及び値の入力による撮像パラメータ設定入力領域２０３の撮像パラメータに値が入力される。
【００２０】
図３Ａにおいて、ユーザーは処理３０１で表示される値の入力による設定入力領域２０３の撮像パラメータにおいて、例えばＲｅｐｈａｓｅ Ｍａｐ２０５をＯＮに設定することで、本実施例の撮像パラメータ設定支援機能１１５が使用可能となる（３０２）。Ｒｅｐｈａｓｅ Ｍａｐ２０５がＯＮの場合で撮像を開始して（３０３）、エコー取得ループ（３０４）に入り、フローコンペンセイション機能がＯＦＦのパルスシーケンスで計測を実施（３０５）する。次にフローコンペンセイション機能の計測ループ（処理３０６）に入り、フローコンペンセイション機能を設定する軸、すなわちスライス軸、位相軸、周波数軸を設定（３０７）、また、フローコンペンセイションの次数モーメント、０次〜ｎ次を設定（３０８）する。そして設定されたパルスシーケンスでフローコンペンセイション機能がＯＮの計測を実施する（３０９）。ここで、フローコンペンセイション機能の各軸、各次数モーメントの組み合わせを変更し、繰り返して計測ループを実行する（３０６）。これにより、複数のフローコンペンセイション機能処理データを取得する。
【００２１】
続いて、元画像用のデータを取得する（３１０）。ここで、エコー取得ループ（３０４）により処理３０５〜３１０を繰り返して設定したエンコード数分のエコーを取得する。エコー取得後、元画像とフローコンペンセイション機能の処理データ取得画像のエンコード数が異なる場合は、元画像の残りデータを取得する（３１１、３１２）。
【００２２】
図３Ａの丸Ａに続く図３Ｂにおいて、全エコーの取得が終了した後、複数のフローコンペンセイション機能処理データを用いて、各フローコンペンセイション機能の組み合わせの画像各々を再構成する（３１３）。そして、再構成された各再構成画像を差分処理し（３１４）、各フローコンペンセイション機能を適用することによって補正された補正信号を抽出する（３１５）。この補正信号の信号値をカラー化などの重みづけ処理を実行し（３１６）、各フローコンペンセイション機能を適用することによって補正された信号を抽出した抽出画像を生成する（３１７）。
【００２３】
すなわち、制御部は、傾斜磁場の各軸に対して、例えば、０次モーメントのみを合わせた撮像、０次と１次モーメントを合わせた撮像、０次と１次と２次モーメントを合わせた撮像を行い、取得した複数の再構成画像の差分処理によりフローコンペンセイション機能による補正信号を抽出し、カラー化して抽出画像とした後、得られた抽出画像と元画像を合成して、ディスプレイ１１３に表示する。
【００２４】
一方で、各フローコンペンセイション機能処理データ（ＯＦＦとＯＮの各データ）のの加算処理を実施し（３１８）、加算処理で得られた処理データを再構成することで（３１９）、元画像を生成する（３２０）。処理３１８で各フローコンペンセイション機能処理データを加算処理することで、ＳＮＲの向上、及び体動アーチファクトの抑制が得られる。処理３１７で得られた差分処理に基づく抽出画像と、処理３２０で得られた加算処理に基づく元画像を合成し（３２１）、合成画像を出力することで（３２２）、形状以外に動くプロトンの状態情報、例えば血流の動態情報を含む画像を得ることができる。
【００２５】
図４は本実施例のＭＲＩ装置で利用されるフローコンペンセイション機能の傾斜磁場パルスの一例を示している。ここでは、グラディエントエコーを取得するシーケンスを例にしているが、その他シーケンスでもフローコンペンセイション機能を併用できるものにも本実施例の撮像パラメータ設定支援機能は適用可能である。
【００２６】
同図において、４０１、４０５、４０９はＲＦパルスであり、４０２はスライス選択傾斜磁場パルスとリフォーカスパルスであり、４０３は位相エンコードパルス、４０４は周波数ディフェーズパルスと周波数エンコードパルスである。４０１〜４０４はスライス軸、位相エンコード軸、周波数エンコード軸の各軸において、０次モーメントのみが合っている場合であり、フローコンペンセイション機能がＯＦＦのエコーを取得する。４０５〜４０８は各軸において０次モーメントと１次モーメントの位相が揃うフローコンペンセイション機能がＯＮのエコーを取得するパルスシーケンスの例であり、４０９〜４１２は各軸において０次モーメントと１次モーメントと２次モーメントの位相が揃うフローコンペンセイション機能がＯＮのエコーを取得するパルスシーケンスの例である。軸の組み合わせ、及び次数モーメントの組み合わせ、更には各軸および各次数モーメントの画像取得時に取得するエコーのエンコード数を、撮像パラメータ設定支援機能１１５を用いて、自由に選択可能とする。例えば、スライス軸において０次モーメントと２次モーメントの位相が揃うパルスシーケンスなどを選択することもできる。本実施例のＭＲＩ装置においては、これらのシーケンスで取得されるエコーを取得することによって、フローコンペンセイション機能の補正効果が異なる複数の信号を取得する。
【００２７】
図５は本実施例のＭＲＩ装置におけるｋ空間の一例を示している。５０１は、元画像のｋ空間である。５０２〜５１４はフローコンペンセイション機能による各種補正情報取得のための計測である。上述のように、取得するエコーのエンコード数は、周波数エンコード、位相エンコード、スライスエンコード共に元画像と同じであってもよいし、同じでなくても良く、撮像パラメータ設定支援機能１１５を使って、自由に選択可能である。各エンコード数を減らすと分解能は低下するが、どの領域がどの補正成分であるかを示す上では、元画像ｋ空間５０１と同一の分解能は必ずしも必要とならないため、本実施例の構成においては、撮像時間短縮を目的にエコーのエンコード数の調整を可能とする。
【００２８】
同図において、５０２はフローコンペンセイション機能がＯＦＦの場合のｋ空間である。５０３〜５１４はフローコンペンセイション機能を適用した場合のｋ空間で、５０３〜５０６はスライス軸の各次数モーメントをｎ次まで増やしていった場合のもの、５０７〜５１０は位相軸の各次数モーメントを増やしていった場合のもの、５１１〜５１４は周波数軸の各次数モーメントを増やしていった場合のものである。更に、例えば、スライス軸＋位相軸、スライス軸＋周波数軸、位相軸＋周波数軸、スライス軸＋位相軸＋周波数軸で、各次数モーメントをｎ次まで増やしていく場合のような、各軸の組み合わせも可能である。これにより、更に多くのフローコンペンセイション機能処理データを取得することができ、流れがある部分の方向性などの情報を得ることが可能となる。
【００２９】
図６は本実施例のＭＲＩ装置における各処理段階で再構成された画像の一例を示している。画像例として、ＴＯＦ（Ｔｉｍｅ Ｏｆ Ｆｌｉｇｈｔ)効果を用いた計測を用いる。同図において、６０１はベースとなる元画像であり、プロトンが移動している部分（以下流体部）である血管内が高信号、白色になって描出されている。６０２はフローコンペンセイション機能がない場合の画像である。流体部の信号が一部落ち、黒色となっている領域が出てくる。６０３はそれぞれフローコンペンセイション機能で０次と１次のモーメントがあっている場合の画像である。６０２のフローコンペンセイション機能がＯＦＦの場合と比較して、一部分信号が補正された領域がある。６０４はフローコンペンセイション機能で０次と１次と２次のモーメントがあっている場合の画像である。以上は、図３Ｂの処理３１３で得られる画像である。画像６０４では、画像６０２と画像６０３と比較して、更に信号が補正された領域が増加している。この後、処理３１４、処理３１５が実行され、画像６０５は、画像６０３と画像６０４の差分、画像６０２と画像６０３の差分、画像６０１と画像６０４の差分の三つの差分画像をそれぞれ抽出して補正信号を得、更に、処理３１６でカラー化などの重みづけを実行し、処理３１７で生成された抽出画像、すなわち補正画像を示している。
【００３０】
合成画像６０６は、更に元画像６０１と抽出画像６０５を合成したものである。合成画像６０６において、速度が速い領域である１次モーメントで補正された領域、加速度的に変化する領域である２次モーメントで補正された領域、渦などの停滞している領域等であるフローコンペンセイション機能以外の要因で補正された領域をカラー化等で区分けして表示でき、それぞれの流れの状態を可視化することができる。
【００３１】
図６の６０７は元画像６０１を最大値投影（以下ＭＩＰ）したものであり、流体部の形状情報が得られる。６０８は本実施例の構成で得られる合成画像６０６をＭＩＰしたものであり、形状情報に加えて、流れの状態を示す情報を取得することができる。合成画像（ＭＩＰ）においても、１次モーメントで補正された領域、２次モーメントで補正された領域、フローコンペンセイション機能以外の要因で補正された領域を表示することができる。なお、合成画像６０６、６０８については、各次数モーメントだけでなく、上述したスライス軸、位相軸、周波数軸の各軸別の補正情報を考慮することで、流れの変化がある部分の方向性も示すことができ、より診断に有効な情報となる。
【００３２】
以上詳述したように、本実施例のＭＲＩ装置によると、フローコンペンセイション機能で得られる各次数モーメントで補正された信号の情報を使って可視化することで、移動するプロトンがどのような状態であるかを知ることができる。より具体的には、ＭＲＡに関しては、フローコンペンセイション機能で０次のみを合わせた撮像と、０次と１次を合わせた撮像、０次と１次と２次を合わせた撮像等を実施して差分処理した信号にカラー化などの重み付けを行い、各フローコンペンセイション機能の差分情報を重ねて表示することにより、信号の欠損が起きやすいと考えられる流速が早い部分や、屈曲部のような加速度的に変化する部分、渦が生じている部分について、何が原因で欠損しているかの判別がつくようになる。
【００３３】
その結果、元画像となるこれまでのＭＲＩ装置による診断に使用していた画像に加えて、信号欠損が起きた部位の形状と原因とから、血行、血流動態による各種疾患の好発部位を診断する上で、手がかりとなる情報が加わるという効果がある。また、元画像については、各フローコンペンセイション機能の組合せの画像の加算処理を行うことにより、加算効果に基づきＳＮＲが向上する。
【００３４】
なお、本発明は上記した実施例に限定されるものではなく、人体以外の他の被検体に適用する等、様々な変形例が含まれる。また、上記した実施例は本発明のより良い理解のために詳細に説明したのであり、必ずしも説明の全ての構成を備えるものに限定されものではない。また、ある実施例の構成の一部を他の実施例の構成に置き換えることが可能であり、また、ある実施例の構成に他の実施例の構成を加えることが可能である。また、各実施例の構成の一部について、他の構成の追加・削除・置換をすることが可能である。
【００３５】
更に、上述した各構成、機能、制御部等は、それらの一部又は全部を実現するプログラムを作成する例を説明したが、それらの一部又は全部を例えば集積回路で設計する等によりハードウェアで実現しても良いことは言うまでもない。すなわち、制御部の全部または一部の機能は、プログラムに代え、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積回路などにより実現してもよい。
【符号の説明】
【００３６】
１０１  ガントリ
１０２  静磁場コイル
１０３  傾斜磁場コイル
１０４  照射コイル
１０５  受信コイル
１０６  受信系
１０７  送信系
１０８  X軸傾斜磁場電源
１０９  Y軸傾斜磁場電源
１１０  Z軸傾斜磁場電源
１１１  中央処理部（ＣＰＵ）
１１２  シーケンサ
１１３  ディスプレイ
１１４  操作卓
１１５  撮像パラメータ設定支援機能
２０１  患者情報表示領域
２０２  図形操作による撮像パラメータ設定入力領域
２０３  値の入力による撮像マラメータ設定入力領域
２０４  撮像コントロール領域
２０５  Ｒｅｐｈａｓｅ  Ｍａｐ
４０１、４０５、４０９  ＲＦパルス
４０２、４０６、４１０  スライス選択傾斜磁場パルス
４０３、４０７、４１１  位相エンコードパルス
４０４、４０８、４１２  周波数エンコードパルス
５０１  元画像のｋ空間
５０２  フローコンペンセイション機能無しの場合のｋ空間
５０３〜５０６  スライス軸のｎ次数モーメントの場合のｋ空間
５０７〜５１０  位相軸のｎ次数モーメントの場合のｋ空間
５１１〜５１４  周波数軸のｎ次数モーメントの場合のｋ空間
６０１  元画像
６０２  フローコンペンセイション機能無し画像
６０３、６０４  フローコンペンセイション機能有り画像
６０５  抽出画像
６０６  合成画像
６０７  元画像（ＭＩＰ）
６０８  合成画像（ＭＩＰ）
【図１】
2017104313.tif 000003
【図２】
2017104313.tif 000004
【図３Ａ】
2017104313.tif 000005
【図３Ｂ】
2017104313.tif 000006
【図４】
2017104313.tif 000007
【図５】
2017104313.tif 000008
【図６】
2017104313.tif 000009